(57)【要約】【課題】  電流を上げずに，磁気回路のワイヤの巻き数を増加させることにより，スピンドルモータのトルクを確保することの可能なハードディスクドライブを提供する。【解決手段】  本発明にかかるハードディスクドライブ１００は，ディスク１２０を回転させるスピンドルモータ１１０と，スピンドルモータ１１０を支持するベース板１３０と，ヘッド１４５を回転移動させるアクチュエータ１４０とを備える。スピンドルモータ１１０は，スピンドル軸を中心として周方向に沿って配設され，軸芯の外周にコイルが巻回される複数の磁気回路を備える。磁気回路は，アクチュエータ１４０の稼動領域内Ｒに配設され，磁気回路の軸芯方向に延長された第１の形状を有する第１の磁気回路１６０ａと，アクチュエータ１４０の稼動領域外に配設され，磁気回路の軸芯方向に対して垂直方向に拡張された第２の形状を有する第２の磁気回路１６０ｂとを備える。【選択図】    図３
2007087465.tif 000002
【特許請求の範囲】
【請求項１】
ディスクと，前記ディスクを回転させるスピンドルモータと，前記スピンドルモータを支持するベース板と，前記ディスクにデータを記録および／または再生するヘッドを回転移動させるアクチュエータとを備えるハードディスクドライブであって：
前記スピンドルモータは，スピンドル軸を中心として周方向に沿って配設され，軸芯の外周にコイルが巻回される複数の磁気回路を備え，
前記磁気回路は，前記アクチュエータの稼動領域内に配設された第１の磁気回路と，前記アクチュエータの稼動領域外に配設された第２の磁気回路とを備え，
前記第１の磁気回路は，軸芯方向に延長された第１の形状を有し，
前記第２の磁気回路は，軸芯方向に対して垂直方向に拡張された第２の形状を有することを特徴とする，ハードディスクドライブ。
【請求項２】
前記ベース板には，
前記第１の形状を有する前記第１の磁気回路が配設される第１の配設孔と，
前記第２の形状を有する前記第２の磁気回路が配設される第２の配設孔とが形成されることを特徴とする，請求項１に記載のハードディスクドライブ。
【請求項３】
前記ベース板の背面側に配置され，少なくとも前記ハードディスクドライブを制御する制御回路が搭載された回路基板を備え，
前記回路基板は，前記スピンドルモータが挿通される略円形の貫通孔が形成され，
前記貫通孔の縁部には，前記１または２以上の第１の磁気回路に応じた位置に，前記第１の磁気回路が配設される切欠部が形成されることを特徴とする，請求項１または２のいずれかに記載のハードディスクドライブ。
【請求項４】
前記第１の磁気回路の設置数および前記第２の磁気回路の設置数は，前記スピンドルモータの相数に応じて決定されることを特徴とする，請求項１〜３のいずれかに記載のハードディスクドライブ。
【発明の詳細な説明】
【技術分野】
【０００１】
本発明は，ハードディスクドライブに関し，より詳細には，小型および薄型のハードディスクドライブに関する。
【背景技術】
【０００２】
近年，ハードディスクドライブは，例えば，携帯電話端末や音楽プレーヤーなどの電子機器にデータ記憶媒体として備えられている。このような機器は，携帯性を向上させる目的から小型化される傾向にあることから，１インチ以下の小型ハードディスクドライブの需要が増加している。
【０００３】
ハードディスクドライブを小型化，特に薄型化するために，ハードディスクドライブ内部の利用されていない空間を極力無くしたり，有効に利用されるように検討されている。このため，目的に合わせて，ハードディスクドライブを構成する各構成要素の形状が変更される。例えば，ハードディスクドライブのディスク回転軸方向における高さ（以下，「ハードディスクドライブの高さ」という。）を低くするため，電気素子が搭載された回路基板には，ディスクを回転させるスピンドルモータを収容する略円形の貫通孔が形成されている（例えば，特許文献１など）。このように，構成要素の重なりを少なくすることによって，小型ハードディスクドライブが実現させている。
【０００４】
【特許文献１】特開２０００−７６８２６号公報
【発明の開示】
【発明が解決しようとする課題】
【０００５】
しかし，このハードディスクドライブの高さを低くすると，スピンドルモータを回転させる磁気回路のワイヤの巻き数を多くしたり，ステータの径を大きくすることが物理的にできなくなる。このため，ディスクを回転させるスピンドルモータのトルク不足が生じてしまう。したがって，スピンドルモータを回転させる十分なトルクを確保するために，過大な電流が必要となっていた。
【０００６】
電流を上げずにスピンドルモータのトルクをあげる方法としては，例えば，磁気回路のラミネーション（軸芯）を厚くする，磁気回路の軸芯にコイル状に巻回されるワイヤの巻き数を増加させる，ステータの径を大きくする等により，磁気回路によって生じる磁場の強さを強くすることが考えられる。
【０００７】
そこで，本発明は，上記問題に鑑みてなされたものであり，本発明の目的とするところは，スピンドルモータに印加する電流を増大させることなく，磁気回路のワイヤの巻き数を増加させることにより，スピンドルモータのトルクを確保することの可能な，新規かつ改良されたハードディスクドライブを提供することにある。
【課題を解決するための手段】
【０００８】
上記課題を解決するために，本発明のある観点によれば，ディスクと，ディスクを回転させるスピンドルモータと，スピンドルモータを支持するベース板と，ディスクにデータを記録および／または再生するヘッドを回転移動させるアクチュエータとを備えるハードディスクドライブが提供される。ここで，スピンドルモータは，スピンドル軸を中心として周方向に沿って配設され，軸芯の外周にコイルが巻回される複数の磁気回路を備え，磁気回路は，アクチュエータの稼動領域内に配設された第１の磁気回路と，アクチュエータの稼動領域外に配設された第２の磁気回路とを備える。そして，第１の磁気回路は，軸芯方向に延長された第１の形状を有し，第２の磁気回路は，軸芯方向に対して垂直方向に拡張された第２の形状を有することを特徴とする。
【０００９】
かかる構成によれば，磁気回路の軸芯の外周にコイル状に巻回させるワイヤの巻き数を増加させるために，アクチュエータの稼動領域内外で異なる形状の磁気回路が配設される。アクチュエータの稼動領域内では，従来，アクチュエータが稼動する空間を確保するため，軸芯方向に対して垂直方向における空間は制限されていた。しかし，アクチュエータ稼動領域内における回路基板には，回路が搭載されていないことから，軸芯方向に従来よりも大きい空間を確保することが可能である。かかる理由より，本発明における第１の磁気回路は，従来よりも軸芯方向に長い形状を有することができ，ワイヤの巻き数を増加させることができる。
【００１０】
一方，アクチュエータの稼動領域外では，従来，アクチュエータの稼動領域に合わせて，略同一形状の磁気回路が配設されていた。このため，アクチュエータの稼動領域外では，ディスクと磁気回路との間に，アクチュエータの稼動空間の分だけ隙間が存在していた。そこで，本発明における第２の磁気回路は，軸芯方向に対して垂直方向にワイヤを多重に巻回させることにより，従来よりも軸芯方向に対して垂直方向に拡張された形状を有することができる。
【００１１】
これにより，ハードディスクドライブの高さを大きくすることなく磁気回路のワイヤの巻き数が増加され，磁気回路に流れる電流を大きくさせずとも，ディスクを回転させるのに十分な大きさのスピンドルモータのトルクを確保することができる。このとき，第１の磁気回路と第２の磁気回路とは，それぞれの磁気回路により発生する磁場の強さを略同一とするために，略同一巻き数のワイヤを巻回させることができる。また，第１の磁気回路は，第２の磁気回路に対して軸芯方向に長く形成され，一方，第２の磁気回路は，第１の磁気回路に対して，軸芯方向に対して垂直方向に拡張されて形成させることができる。
【００１２】
また，ベース板には，第１の形状を有する第１の磁気回路が配設される第１の配設孔と，第２の形状を有する第２の磁気回路が配設される第２の配設孔とを形成することができる。各配設孔には，形状の異なる磁気回路がそれぞれ配設されるため，各配設孔の大きさは，磁気回路の大きさに合わせて形成される。
【００１３】
さらに，本発明にかかるハードディスクドライブは，ベース板の背面側に配置され，少なくともハードディスクドライブを制御する制御回路が搭載された回路基板を備える。ここで，回路基板には，スピンドルモータが挿通される略円形の貫通孔が形成され，貫通孔の縁部には，１または２以上の第１の磁気回路に応じた位置に，第１の磁気回路が配設される切欠部が形成されることを特徴とする。これにより，ハードディスクドライブの高さ方向の接触を防ぎ，ハードディスクドライブの高さを低くすることができる。
【００１４】
また，第１の磁気回路の設置数および第２の磁気回路の設置数は，例えば，スピンドルモータの相数に応じて決定することができる。これにより，ハードディスクドライブを形成する磁気回路の形状が均一でなくとも，スピンドルモータを安定して回転させることが可能となる。
【発明の効果】
【００１５】
以上説明したように本発明によれば，電流を上げずに，磁気回路のワイヤの巻き数を増加させて，スピンドルモータのトルクを確保することの可能なハードディスクドライブを提供することができる。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
まず，図１に基づいて，本発明の一実施形態にかかるハードディスクドライブの構成について説明する。ここで，図１は，本実施形態にかかるハードディスクドライブの構成を示す概略図である。
【００１８】
本実施形態にかかるハードディスクドライブ１００は，図１に示すように，データ記憶媒体であるディスク１２０と，ディスク１２０を回転させるスピンドルモータ１１０と，スピンドルモータ１１０を支持するベース板１３０と，ディスク１２０にデータを記録および／または再生するヘッド１４５を備えたアクチュエータ１４０と，例えば，スピンドルモータ１１０やアクチュエータ１４０などを制御する制御回路を備えた回路基板とを有して構成される。
【００１９】
スピンドルモータ１１０は，ディスク１２０を回転させるモータであり，後述する磁気回路とマグネットとの作用によってスピンドル軸１１１が回転される。ディスク１２０は，スピンドルモータ１１０のハブ１１７とトップクランプ１１５とによって固定される。本実施形態にかかるスピンドルモータ１１０は，例えば，３相スピンドルモータを使用することができる。
【００２０】
ベース板１３０は，スピンドルモータ１１０を支持する他に，例えば，後述するアクチュエータ１４０や，アクチュエータ１４０を支持するピボット１４３などが組み付けられる。
【００２１】
アクチュエータ１４０は，ディスク１２０にデータを記録および／または再生するヘッド１４５と，一端が回転軸（ピボット）１４３に取り付けられ，他端にヘッド１４５を備えるヘッドサスペンションアセンブリ（ＨＳＡ）１４７とを有して構成される。かかるアクチュエータ１４０は，例えば，１つのディスク１２０に対して一対のヘッドサスペンションアセンブリ１４７を備えている。一対のヘッドサスペンションアセンブリ１４７は，所定の隙間を有して積層されており，この隙間にディスク１２０を挟むように配設されている。ディスク１２０にデータを記録および／または再生する場合，かかるヘッドサスペンションアセンブリ１４７を回転させて，ヘッド１４５をディスク１２０の所定の位置に移動させる。なお，アクチュエータ１４０は，例えば，ボイスコイルモータ（ＶＣＭ；Ｖｏｉｃｅ  Ｃｏｉｌ  Ｍｏｔｏｒ，図示せず。）により駆動させることができる。
【００２２】
このようなハードディスクドライブ１００において，ディスク１２０がスピンドルモータ１１０により，例えば図１の矢印Ａ方向に回転されるとする。そして，データの記録および／または再生を行う場合，アクチュエータ１４０が駆動されて，ディスク１２０の所定の位置にヘッド１４５が位置するように移動される。
【００２３】
ここで，アクチュエータ１４０は，図２に示すように，ヘッド１４５がディスク１２０の外周側に退避するときの位置Ｐから，ヘッド１４５がディスク１２０の内周に退避するときの位置Ｑまでの間，すなわち領域Ｒの範囲で可動である。本実施形態にかかるハードディスクドライブ１００は，スピンドルモータ１１０を構成する磁気回路の巻き数を増加させるために，アクチュエータ１４０の稼動領域内Ｒと，アクチュエータ１４０の稼動領域外とにおいて磁気回路の形状が変更される。
【００２４】
そこで，以下，図３〜図９に基づいて，本実施形態にかかるハードディスクドライブ１００の特徴について，従来のハードディスクドライブの構成と比較しながら説明する。ここで，図３は，本実施形態にかかるハードディスクドライブ１００の部分断面図であって，図３（ａ）は第１の磁気回路１６０ａの部分拡大斜視図，図３（ｂ）は第２の磁気回路１６０ｂの部分拡大斜視図である。また，図４は，本実施形態にかかるベース板１３０を示す平面図である。さらに，図５は，本実施形態にかかる回路基板１５０を示す平面図である。そして，図６は，本実施形態にかかるベース板１３０と回路基板１５０とを示す分解斜視図である。一方，図７は，従来のハードディスクドライブの部分断面図であり，図７（ａ）は従来の磁気回路１６０ａの部分拡大斜視図である。また，図８は，従来のベース板１３０を示す平面図である。さらに，図９は，従来の回路基板１５０を示す平面図である。
【００２５】
まず，図３および図７に基づいて，本実施形態にかかるハードディスクドライブ１００を，従来のハードディスクドライブと比較しながら説明する。
【００２６】
従来のハードディスクドライブは，図７に示すように，スピンドルモータ１０と，ディスク２０と，ベース板３０と，アクチュエータ４０と，回路基板５０とを有して構成される。上述したように，スピンドルモータ１０は，ディスク２０を回転させる駆動手段であり，例えば，ディスク２０を上面から支持するトップクランプ１５と，ディスク２０を下面から支持するハブ１７と，トップクランプ１５をスピンドル軸１１に固定する固定部材１３とを有して構成される。また，ハブ１７のベース板３０との対向する側には，マグネット６５が備えられ，マグネット６５と対向するように，複数の磁気回路６０が配設されている。
【００２７】
各磁気回路６０の内部には，ホール素子（図示せず。）が配設されている。また，マグネット６５は，例えばリング状に形成されて，ハブ１７の周に沿って配設されている。スピンドルモータ１０は，磁気回路６０に電流が流れることにより発生する磁場とマグネット６５との引き合い動作を繰り返すことによって回転する。
【００２８】
一端にヘッド４５を備えるアクチュエータ４０は，その他端が回転軸４３に対して回転可能に取り付けられている。また，ディスク２０の下側（図７のＺ軸負方向）には，スピンドルモータ１０を支持するベース板３０と，回路基板５０とが配設されている。
【００２９】
ここで，従来のハードディスクドライブでは，図７に示すように，アクチュエータ４０の稼動範囲内に配設された磁気回路６０と，アクチュエータ４０の稼動範囲外に配設された磁気回路６０とは，図７（ａ）に示すように，略均一の大きさに形成されていた。このため，アクチュエータ４０の稼動領域外におけるディスク２０の下側には，アクチュエータ４０の稼動領域内と比較して広い空間が存在していた。また，アクチュエータ４０の稼動領域内における回路基板５０には，アクチュエータ４０の動作の妨げとならないように，制御回路が搭載されていなかった。
【００３０】
そこで，本実施形態にかかるハードディスクドライブ１００では，かかる点に着目し，磁気回路のワイヤの巻き数を増加させる。これにより，ハードディスクドライブ１００の高さを高くせず，スピンドルモータ１１０の磁気回路に過大な電流を流すことなくディスク１２０を回転させるためのトルクを確保することが可能となる。
【００３１】
本実施形態にかかるハードディスクドライブ１００は，図３に示すように，スピンドルモータ１１０と，ディスク１２０と，ベース板１３０と，アクチュエータ１４０と，回路基板１５０とを有して構成される。ここで，本実施形態にかかるハードディスクドライブ１００は，磁気回路，ベース板１３０，および回路基板１５０の形状が従来のハードディスクドライブと相違する。そこで，以下，本実施形態にかかるハードディスクドライブ１００の磁気回路，ベース板１３０，および回路基板１５０について説明する。
【００３２】
本実施形態にかかるスピンドルモータ１１０を構成する磁気回路は，アクチュエータ１４０の稼動領域内に配置される第１の磁気回路１６０ａとアクチュエータ１４０の稼動領域外に配置される第２の磁気回路１６０ｂとを有して構成される。第１の磁気回路１６０ａは，図３（ａ）に示すように，軸芯１６１ａにワイヤ１６３ａが巻回されて構成されている。一方，第２の磁気回路１６０ｂは，図３（ｂ）に示すように，軸芯１６１ｂにワイヤ１６３ｂが巻回されて構成されている。
【００３３】
第１の磁気回路１６０ａは，従来の磁気回路６０および第２の磁気回路１６０ｂと比較して，軸芯方向に延長された形状を有している。これは，従来，アクチュエータ１４０の稼動領域内の回路基板１５０には，例えば制御回路等が搭載されていなかったためである。そこで，後述するように，アクチュエータ１４０の稼動領域内に配設された第１の磁気回路１６０ａに応じた位置に，かかる磁気回路１６０ａを配設するための切欠部１５５を形成することが可能である。これにより，第１の磁気回路１６０ａには，従来よりもワイヤ１６３ａの巻き数を増加させることが可能となる。
【００３４】
また，第２の磁気回路１６０ｂは，従来の磁気回路６０および第１の磁気回路１６０ａと比較して，軸芯方向（図３のＺ軸方向）に対して垂直方向に拡張された形状を有している。これは，前述したように，アクチュエータ１４０の稼動領域外におけるディスク１２０と磁気回路１６０ｂとの間に，アクチュエータ１４０の稼動領域内と比較して，大きい隙間を有することによる。これにより，図３（ｂ）に示すように，軸芯１６１ｂに対してワイヤ１６３ｂを，例えば２重に巻回することが可能となり，従来よりもワイヤ１６３ｂの巻き数を増加させることが可能となる。
【００３５】
このように，第１の磁気回路１６０ａのワイヤ１６３ａの巻き数および第２の磁気回路１６０ｂのワイヤ１６３ｂの巻き数を，それぞれ従来の磁気回路６０と比べて増加させることができる。これにより，従来と同じ電流で，磁気回路１６０ａ，１６０ｂにより強い磁場を磁気回路１６０ａ，１６０ｂに発生させることができ，スピンドルモータ１１０のトルクを増大させることができる。例えば，従来のハードディスクドライブと比較して，各磁気回路１６０ａ，１６０ｂに巻回されるワイヤ１６３ａ，１６３ｂの巻き数を約２倍としたとき，従来と略同一のトルクを発生させるために必要な電流の大きさを約６０％低減させることができる。ここで，各磁気回路１６０ａ，１６０ｂで発生する磁場の強さを略同一とするため，第１の磁気回路１６０ａのワイヤ１６３ａの巻き数および第２の磁気回路１６０ｂのワイヤ１６３ｂの巻き数は，略同一とするのがよい。
【００３６】
ここで，本実施形態にかかるハードディスクドライブ１００は，異なる２つの磁気回路１６０ａ，１６０ｂの形状に応じて，ベース板１３０と回路基板１５０との形状を従来の形状から変更することにより，ハードディスクドライブ１００の高さをより低くすることができる。
【００３７】
まず，ベース板１３０の形状について説明する。従来のベース板３０は，図８に示すように，スピンドルモータ１０が挿通される位置に貫通孔３１が形成され，さらに，スピンドルモータ１０のスピンドル軸１１を中心とする周方向に沿って，複数の磁気回路６３が配設される複数の配設孔３３が形成されている。配設孔３３の形状は，従来の磁気回路６３の形状に合わせて，すべて略同一の大きさに形成されている。
【００３８】
一方，本実施形態にかかるベース板１３０は，図４に示すように，磁気回路１６０ａ，１６０ｂを除くスピンドルモータ１１０が挿通される位置に，モータ取付孔である貫通孔１３１が形成され，さらに，スピンドルモータ１１０のスピンドル軸１１１を中心とする周方向に沿って，複数の磁気回路１６０ａ，１６０ｂが配設される複数の配設孔１３３，１３５が形成されている。配設孔１３３，１３５の形状は，第１の磁気回路１６０ａおよび第２の磁気回路１６０ｂの形状に応じて形成されているため，第１の配設孔１３３は，従来の磁気回路６０および第２の配設孔１３５と比較して，軸芯方向に延長された形状を有している。これにより，磁気回路１６０ａ，１６０ｂが配設孔１３３，１３５内に配置されるため，磁気回路１６０ａ，１６０ｂとベース板１３０との接触が防止され，ハードディスクドライブ１００の高さを低くすることができる。
【００３９】
次に，回路基板１５０の形状について説明する。従来の回路基板５０は，図９に示すように，スピンドルモータ１０が挿通される位置に略円形の貫通孔５３が形成されている。一方，本実施形態にかかる回路基板１５０は，図５に示すように，スピンドルモータ１１０が挿通される位置に略円形の貫通孔１５３が形成され，さらに，貫通孔１５３の縁部には，切欠部１５５が，第１の磁気回路１６０ａの形状に応じた位置に形成されている。これにより，磁気回路１６０ａ，１６０ｂと回路基板１５０との接触が防止され，ハードディスクドライブ１００の高さを低くすることができる。
【００４０】
このように形成された回路基板１５０は，図６に示すように，ベース板１３０の背面側（図６の紙面下方向）に配設される。すなわち，回路基板１５０上にベース板１３０が載置された状態で配設される。
【００４１】
なお，例えば図４に示すベース板１３０に形成された配設孔１３３，１３５の形状からもわかるように，本実施形態にかかるハードディスクドライブ１００に配置される磁気回路は，３つの第１の磁気回路と６つの第２の磁気回路とからなる。これは，３相スピンドルモータを使用した実施形態を示しており，Ｕ相，Ｖ相，Ｗ相の３相をひとつの組として同一形状に形成させることにより，スピンドルモータ１１０を安定して回転させることができるためである。したがって，スピンドルモータ１１０の相数とアクチュエータ１４０の稼動領域とに応じて，磁気回路の形状およびその設置数を決定することができる。
【００４２】
以上，本発明の一実施形態にかかるハードディスクドライブ１００について説明した。かかる構成により，従来のハードディスクドライブと比較して，ハードディスクドライブ１００の高さを大きくすることなく，磁気回路１６０ａ，１６０ｂの軸芯１６１ａ，１６１ｂに巻回されるワイヤ１６３ａ，１６３ｂの巻き数を増加させることが可能となる。これにより，磁気回路１６０ａ，１６０ｂのワイヤ１６３ａ，１６３ｂに流れる電流の大きさを大きくせずに，ディスク１２０を回転させるのに十分なスピンドルモータ１１０のトルクを確保することができる。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４４】
例えば，上記実施形態において，ディスク１２０は１枚であったが，本発明はかかる例に限定されず，２枚以上のディスクを備えるハードディスクドライブであってもよい。
【００４５】
また，上記実施形態において，第２の磁気回路１６０ｂは，軸芯１６１ｂにワイヤ１６３ｂが２重に巻回されていたが，本発明はかかる例に限定されず，空間的に巻回可能であれば，例えば多重に巻回させることも可能である。
【産業上の利用可能性】
【００４６】
本発明は，ハードディスクドライブに適用可能であり，特に，小型および薄型のハードディスクドライブに適用可能である。
【図面の簡単な説明】
【００４７】
【図１】本発明の一実施形態にかかるハードディスクドライブの構成を示す概略図である。
【図２】同実施形態にかかるハードディスクドライブのアクチュエータの稼動領域を示す説明図である。
【図３】同実施形態にかかるハードディスクドライブの一部断面図であって，（ａ）は第１の磁気回路を示す拡大斜視図であり，（ｂ）は第２の磁気回路を示す拡大斜視図である。
【図４】同実施形態にかかるベース板を示す平面図である。
【図５】同実施形態にかかる回路基板を示す平面図である。
【図６】同実施形態にかかるベース板と回路基板とを示す分解斜視図である。
【図７】従来のハードディスクドライブの一部断面図であって，（ａ）は磁気回路の拡大斜視図である。
【図８】従来のベース板を示す平面図である。
【図９】従来の回路基板を示す平面図である。
【符号の説明】
【００４８】
１００              ハードディスクドライブ
１１０              スピンドルモータ
１１１              スピンドル軸
１２０              ディスク
１３０              ベース板
１３１              貫通孔
１３３              第１の配設孔
１３５              第２の配設孔
１４０              アクチュエータ
１４５              ヘッド
１５０              回路基板
１５３              貫通孔
１５５              切欠部
１６０ａ            第１の磁気回路
１６０ｂ            第２の磁気回路
１６１ａ，１６１ｂ  軸芯
１６３ａ，１６３ｂ  ワイヤ
１６５              マグネット
【図１】
2007087465.tif 000003
【図２】
2007087465.tif 000004
【図３】
2007087465.tif 000005
【図４】
2007087465.tif 000006
【図５】
2007087465.tif 000007
【図６】
2007087465.tif 000008
【図７】
2007087465.tif 000009
【図８】
2007087465.tif 000010
【図９】
2007087465.tif 000011